(57)【要約】【課題】保護機能が動作した後に、再度ユーザが電源オンした場合に、暫定処置にて充分に冷却し、保護機能が働かない状態にしたうえで、電子機器を起動させ、ユーザに電子機器の設置環境を見直して頂く為の通知を行う。【解決手段】保護手段により電源がオフされた後に、電源がオンされると、ファンを駆動させた後に補助記憶装置を起動させる第１の冷却処理を行う第１の冷却制御手段と、補助記憶装置の起動後、監視された温度をもとに補助記憶装置の温度を判定し、判定した温度が閾値を超える場合、電子機器を再起動する状態判定手段と、  再起動後に、判定された前記補助記憶装置の温度状態に応じて、補助記憶装置に対する冷却効果の異なる第２の冷却処理を実行する第２の冷却制御手段と、第２の冷却処理の実行後、ユーザに第２の冷却処理を実施していることを通知する通知手段と、を有する。【選択図】図３
2016024592.tif 000002
【特許請求の範囲】
【請求項１】
補助記憶装置を備える電子機器であって、
ファンと、
前記補助記憶装置の温度を監視する監視手段と、
監視された前記温度をもとに前記補助記憶装置の温度異常を検出した場合に、電子機器の電源をオフする保護手段と、
前記保護手段により前記電源がオフされた後に、前記電源がオンされると、前記ファンを駆動させた後に前記補助記憶装置を起動させる第１の冷却処理を行う第１の冷却制御手段と、
前記補助記憶装置の起動後、監視された前記温度をもとに前記補助記憶装置の温度を判定し、判定した前記温度が閾値を超える場合、前記電子機器を再起動する状態判定手段と、  
前記再起動後に、判定された前記補助記憶装置の温度状態に応じて、前記補助記憶装置に対する冷却効果の異なる第２の冷却処理を実行する第２の冷却制御手段と、
前記第２の冷却処理の実行後、ユーザに前記第２の冷却処理を実施していることを通知する通知手段と、を有することを特徴とする電子機器。
【請求項２】
前記第２の冷却制御手段は、前記状態判定手段が前記電子機器を再起動した回数をもとに、前記補助記憶装置の温度状態を判定する、ことを特徴とする請求項１に記載の電子機器。
【請求項３】
前記第１の冷却制御手段は、前記第１の冷却処理では第１の電圧で前記ファンを駆動させ、
前記第２の冷却制御手段は、前記第２の冷却処理では、前記第１の電圧と比べて電圧値が高い第２の電圧で前記ファンを駆動させる、ことを特徴とする請求項１または請求項２のいずれかに記載の電子機器。
【請求項４】
光ディスクを再生する光ディスクドライブを有し、
前記第２の冷却制御手段は、前記第２の冷却処理では、前記光ディスクドライブのスピンドルモーターを回転させる、ことを特徴とする請求項１から請求項３のいずれか一項に記載の電子機器。
【請求項５】
光ディスクを再生する光ディスクドライブを有し、
前記第２の冷却制御手段は、前記第２の冷却処理では、前記光ディスクドライブのトレイをオープンにする、ことを特徴とする請求項１から請求項４のいずれか一項に記載の電子機器。
【請求項６】
前記第２の冷却制御手段は、前記第２の冷却処理では、前記補助記憶装置の電源のオフを維持する、ことを特徴とする請求項１から請求項５のいずれか一項に記載の電子機器。
【請求項７】
前記通知手段が行う通知内容は、前記電子機器の位置を変更させるためのものである、ことを特徴とする請求項１から請求項６のいずれ一項に記載の電子機器。
【発明の詳細な説明】
【技術分野】
【０００１】
本発明は、電子機器に関し、特に補助記憶装置を備える電子機器に関する。
【背景技術】
【０００２】
電子機器では、ＲＯＭ（Read Only Memory）やＲＡＭ（Random Access Memory）等の主記憶装置とは別に、ＨＤＤ（Hard Disk Drive）やＳＳＤ（Solid State Drive）等の補助記憶装置を備えるものが知られている。補助記憶装置は使用によって温度が上昇するが、温度が閾値を超えるとデータの書き込みや読み出しに影響を与える。そのため、電子機器では、補助記憶装置の規定値を超えないように、補助記憶装置を使用する必要がある。
【０００３】
装置内部にファンを備えることで、ファンを駆動させて補助記憶装置の温度上昇を抑制させる電子機器も知られている。また、特許文献１、２には、補助記憶装置の異常温度を検出した場合に、温度異常をユーザに通知する機能を備える装置が開示されている（例えば、特許文献１、２参照）。
【先行技術文献】
【特許文献】
【０００４】
【特許文献１】国際公開番号  ＷＯ２００９／０４０９９５
【特許文献２】特開２０１３−１２６２１６号公報
【発明の概要】
【発明が解決しようとする課題】
【０００５】
補助記憶装置の温度が閾値を超えた場合に、電子機器への電源供給を停止し、ハードウェアを故障から保護する機能（以下保護機能とも記載する。）を備えるものがある。この保護機能は、電子機器への電源供給を停止することで、補助記憶装置のＳＰＥＣを超えた高温環境下にさらされない事を目的としている。しかし、電子機器が壁などの近くに設置されていると、補助記憶装置の冷却効果が落ちてしまう。補助記憶装置の温度が下がりきらない状態で電子機器の電源を再度オンすると、再び温度異常を検知するため、保護機能が動作し、ユーザは電子機器を使用することができない。
【０００６】
本発明は、上記課題にかんがみてなされたもので、異常温度によって回路を保護する保護機能を備える電子機器において、保護機能が動作した後に、再度ユーザが電源オンした場合に、暫定処置にて充分に冷却し、保護機能が働かない状態にしたうえで、電子機器を起動させ、ユーザに電子機器の設置環境を見直して頂く為の通知を行うことを目的とする。
【課題を解決するための手段】
【０００７】
上記課題を解決するために、本発明の一態様では、補助記憶装置を備える電子機器であって、ファンと、前記補助記憶装置の温度を監視する監視手段と、監視された前記温度をもとに前記補助記憶装置の温度異常を検出した場合に、電子機器の電源をオフする保護手段と、前記保護手段により前記電源がオフされた後に、前記電源がオンされると、前記ファンを駆動させた後に前記補助記憶装置を起動させる第１の冷却処理を行う第１の冷却制御手段と、前記補助記憶装置の起動後、監視された前記温度をもとに前記補助記憶装置の温度を判定し、判定した前記温度が温度異常を示す場合は、前記電子機器を再起動する状態判定手段と、前記再起動後に、判定された前記補助記憶装置の温度状態に応じて、前記補助記憶装置に対する冷却効果の異なる第２の冷却処理を実行する第２の冷却制御手段と、
前記第２の冷却処理の実行後、ユーザに前記第２の冷却処理を実施していることを通知する通知手段と、を有する。
【０００８】
『監視手段』は、補助記憶装置の温度を監視し、通知を行うことができるものであればどのようなものであってもよく、補助記憶装置が備える周知のスマート機能（SMART:Self-Monitoring. Analysis and Rporting Technology）以外にも、補助記憶装置の内部温度を検出するセンサー、さらには、マイクロコンピュータの一部の機能により実現されるものであってもよい。
『保護手段により電源がオフされた後に、電源がオンされる』とは、保護手段によりオフされた電源を、最初にオンすることを意味し、ユーザが電子機器を操作して電源をオンする場合のほか、電子機器が一定の時間が経過したことを検知して、自動で電源をオンすることも含む。
『補助記憶装置の温度状態に応じて、補助記憶装置に対する冷却効果の異なる第２の冷却処理を実行する』とは、補助記憶装置の温度を直接判定して第２の冷却処理を選択する場合や、補助記憶装置が再起動を繰り返す回数から補助記憶装置の状態を間接的に判定することで第２の冷却処理を選択する場合も含む。
『通知手段』は、ユーザに対して通知を行うものであればどのようなものであってもよく、画像、文字、音声を用いた通知であってもよい。
【０００９】
上記のように構成された発明では、電子機器の保護機能が動作した後の電源オン後に行われる第１の冷却処理においても補助記憶装置の温度が低下しない場合、暫定的に行われる第２の冷却処理により保護機能が再度働かない状態で電子機器を起動させる。加えて、起動後に、通知手段により通知を行うことで、ユーザに電子機器の設置環境を見直して頂くよう促すことができる。
【図面の簡単な説明】
【００１０】
【図１】一例としての電子機器１００の外観図。
【図２】一例としての電子機器１００の内部構成を示すブロック図。
【図３】メインコントローラ２０の機能を説明する機能ブロック図。
【図４】メインコントローラ２０により実行される処理説明するフローチャート。
【図５】ステップＳ５において実行される第２の冷却制御処理を説明するフローチャート。
【図６】ユーザがお知らせメールを開封する処理を説明する図。
【図７】一例としてのお知らせメールにより通知される通知画面を示す図。
【発明を実施するための形態】
【００１１】
以下、下記の順序に従って本発明の実施形態を説明する。
１．第１の実施形態：
（１）電子機器の構成
（２）補助記憶装置の保護方法
２．第２の実施形態：
３．その他の実施形態：
【００１２】
１．第１の実施形態：
（１）電子機器の構成
図１は、一例としての電子機器１００の外観図である。図２は、一例としての電子機器１００の内部構成を示すブロック図である。
図１に示す電子機器１００の一例は、筐体９０の内部に補助記憶装置を内蔵する録画装置である。この第１の実施形態では、電子機器１００は、補助記憶装置として、ＨＤＤ１１と、光ディスクドライブ１２とを内蔵している（図２）。また、電子機器１００は、筐体９０の全面から引き出されるトレイ８０を備えている。トレイ８０が引き出された状態で、光ディスクをこのトレイ８０にセットすることで、光ディスク（ＣＤ，ＤＶＤ、ＢＤ）の再生や、データの書き込みを行うことができる。また、電子機器１００は、テレビジョン受像機等の表示装置５０と接続することで、ユーザインタフェース等を表示装置５０に表示させることができる。
【００１３】
図２に示す電子機器１００は、ＳＯＣ（System On Chip）１０、補助記憶装置としてのＨＤＤ１１および光ディスクドライブ１２、フラッシュメモリ１３、ＤＲＡＭ１４、出力部１５、再生信号制御部１６、ファン１７、Ｉ／Ｏ１８、電源回路１９、を備えている。
【００１４】
ＳＯＣ１０は、ＨＤＤ１１、光ディスクドライブ１２、に対するアクセスを制御する。ＳＯＣ１０は、ＨＤＤ１１、光ディスクドライブ１２、再生信号制御部１６が接続されている。ＳＯＣ１０は、ＨＤＤ１１または光ディスクドライブ１２により再生されたデータを再生信号制御部１６に出力する他、再生信号制御部１６を通じて入力されたデータをＨＤＤ１１、光ディスクドライブ１２に出力する。
また、ＳＯＣ１０には、電子機器１００の動作を統合的に制御するメインコントローラ２０が内蔵されている。メインコントローラ２０は、各種演算、処理、制御を行う演算処理装置である。メインコントローラ２０は、ＳＯＣ１０に実装された不図示のＲＯＭに記録されたプログラムや、フラッシュメモリ１３に記録されたデータをもとに所定の処理を行う。メインコントローラ２０の機能については後述する。
【００１５】
ＨＤＤ１１は、電子機器１００の内蔵型のＨＤＤである。ＨＤＤ１１は、図示しない磁気記憶部と、この磁気記憶部に対するアクセスを制御するメモリコントローラとを備えている。メモリコントローラは、ＨＤＤ１１の状態（内部温度、エラー回数、総使用時間等）をスマート値として通知するスマート機能（SMART:Self-Monitoring. Analysis and Rporting Technology）を備えている。そのため、この第１の実施形態では、監視手段は、ＨＤＤ１１が備えるスマート機能により実現される。
【００１６】
光ディスクドライブ１２は、ＤＶＤやＢＤ等の光ディスクの再生やデータ書き込みを行う。光ディスクドライブ１２には、不図示の光ピックアップと、光ディスクを回転させるスピンドルモーターが備えられている。光ピックアップは、スピンドルモーターにより回転された光ディスクに対してレーザー光を照射して、光ディスクに対して記録されたデータの再生やデータを記録する。また、光ディスクドライブ１２は、ＳＯＣ１０による制御により、引きだされたトレイ８０（図１）に光ディスクをセットし、このトレイを引き入れることで、光ディスクを内部に収容する。
【００１７】
ＳＯＣ１０には、再生信号制御部１６が接続されている。再生信号制御部１６は、トランスコーダを備えており、ＨＤＤ１１または光ディスクドライブ１２から出力されたデータのデータサイズを変更することができる。
【００１８】
再生信号制御部１６には、出力部１５が接続されている。出力部１５は、表示装置５０を含めた外部装置と接続し、この外部装置５０との間でデータを通信する。また、出力部１５は、例えば、ＩＥＥＥ８０２．３規格に準拠したネットワーク接続端子無線ＬＡＮボード等の通信インタフェースを含むものであってもよい。通信インタフェースは、電子機器１００と外部の装置、例えば不図示のパソコンタブレット 等を接続し、デジタル信号の入出力を行う。これにより、例えばＤＬＮＡ機能による画像 ／音の配信、タブレットを用いた電子機器１００の遠隔操作等が可能となる。  
【００１９】
ＳＯＣ１０には、Ｉ／Ｏ１８を介してサブコントローラ３０が接続されている。サブコントローラ３０は、図示しない表示部やリモコン装置４０からのコマンドを受け付けるリモコン受信部が内蔵されている。サブコントローラ３０により受信されたコマンドは、ＳＯＣ１０に出力される。
【００２０】
サブコントローラ３０には、ファン１７が接続されている。ファン１７にはモータードライバー（図示しない）が内蔵されており、このモータードライバーに給される駆動電圧（第１の駆動電圧、第２の駆動電圧）に応じて、ファン１７の駆動を２段階に変化させることができる。例えば、第１の駆動電圧は９Ｖであり、第２の駆動電圧は１２Ｖである。そのため、第２の駆動電圧でファン１７を駆動する場合は、第１の駆動電圧でファン１７を駆動する場合に比べて、回転速度が速くなる。ファン１７は、ＤＣファンを想定しているが、これ以外にもＡＣファン等周知のファンを用いることができる。
【００２１】
電源回路１９は、電子機器１００のハードウェアを駆動するための駆動電源を生成する。電源回路１９は図示しない商用電源と接続しており、この商用電源（例えばＡＣ１００Ｖ）をもとに、ハードウェアを駆動するための電源を生成する。また、電源回路１９は、図示しない電源ラインを通じてハードウェアに接続されている。
【００２２】
図３は、メインコントローラ２０の機能を説明する機能ブロック図である。図３に示す各手段は、メインコントローラ２０が不図示のＲＯＭに記録されたプログラムを実行することにより実現される機能部を表している。
【００２３】
保護手段２１は、ＨＤＤ１１の温度が閾値温度を超えた場合に、電源回路１９からの電源供給を強制的にオフし、電子機器１００を故障から保護する。この第１の実施形態では、保護手段２１は、ＨＤＤ１１のスマート機能をもとに、ＨＤＤ１１の温度を監視し、ＨＤＤ１１の温度が閾値（例えば、７０度）以上になると、電源回路１９からの電源供給を強制的にオフさせる。無論、保護手段２１は、スマート機能をもとにＨＤＤ１１の温度を監視する場合以外にも、温度センサーから温度を検知するものであってもよい。
【００２４】
第１の冷却制御手段２２は、保護手段２１による電子機器１００の電源がオフされた後、電子機器１００の電源がオンされた場合に、ＨＤＤ１１を冷却するための処理（第１の冷却処理）を行う。この第１の冷却処理では、電子機器１００の起動時には、ＨＤＤ１１の電源をオンすることなく、ＨＤＤ１１を冷却するための処理を行った後、ＨＤＤ１１の電源をオンする。
【００２５】
状態判定手段２３は、ＨＤＤ１１の起動後、スマート機能（監視手段）からの通知をもとにＨＤＤ１１の温度を判定し、判定した温度が閾値を超える場合、電子機器１００を再起動する。状態判定手段２３が判定するＨＤＤ１１の温度は、保護手段２１が温度異常と判定する温度と同じであってもよいし、保護手段２１が判定する温度異常と比べて低い値であってもよい。
【００２６】
第２の冷却制御手段２４は、再起動後にＨＤＤ１１を冷却させる第２の冷却処理を実行する。この第２の冷却処理では、ＨＤＤ１１の温度状態をもとに、ＨＤＤ１１を冷却するための処理を選択する。この第１の実施形態では、第２の冷却処理として、
・ファン１７を第２の駆動電圧で駆動させる、
・光ディスクドライブ１２のスピンドルモーターを回転させる、
・光ディスクドライブ１２のトレイ８０をオープンにする、
・ＨＤＤ１１の電源をオフした状態で電子機器１００を動作させる、
のいずれかを選択する。
【００２７】
通知手段２５は、第２の冷却処理の実行後、ユーザに第２の冷却制御手段２４が第２の冷却処理を実施していることを通知する。この第１の実施形態では、通知手段２５は、表示装置５０に画像を表示させてユーザに通知を行う。
【００２８】
（２）補助記憶装置の保護方法
メインコントローラ２０により実行される保護処理後のＨＤＤ１１の保護方法について説明する。図４は、メインコントローラ２０により実行される処理説明するフローチャートである。図４に示す処理は、保護手段２１により電子機器１００の電源がオフされた後に実施される。
【００２９】
ステップＳ１では、電子機器１００の電源がオンすると、ステップＳ２では、メインコントローラ２０は、ＨＤＤ１１の電源のオフを維持した状態で、ファン１７を起動させる。ここで、ステップＳ１における電源のオンは、ユーザが行う場合を想定しているが、これに限定されず、メインコントローラ２０が自動で行うものであってもよい。
【００３０】
ステップＳ３では、メインコントローラ２０は、カウント値に応じて冷却処理を選択する。この第１の実施形態では、カウント値をもとにＨＤＤ１１の温度状態が判定される。カウント値は、ＨＤＤ１１の異常温度が維持されている場合に、状態判定手段２３によりカウントされる値である。まずは、カウント値は『０』であるため、メインコントローラ２０は、ステップＳ４に進む。
【００３１】
ステップＳ４では、メインコントローラ２０は、ファン１７を駆動させる第１の冷却処理を行う。この第１の冷却処理では、メインコントローラ２０は、サブコントローラ３０を通じてファン１７を第１の駆動電圧で駆動させるコマンドを送信する。そして、一定期間が経過した後、メインコントローラ２０は、電源回路１９に対してＨＤＤ１１の電源をオンさせる。
【００３２】
ステップＳ６では、メインコントローラ（状態判定手段２３）２０は、スマート値を取得する。スマート値の取得によりメインコントローラ２０は、ＨＤＤ１１の温度状態（例えば、温度異常によるエラー）を判断する。
メインコントローラ２０は、ＨＤＤ１１の温度が閾値以上であれば（ステップＳ７：ＹＥＳ）、ステップＳ８では、メインコントローラ２０はカウント値を加算する。例えば、閾値は、保護手段２１が温度異常と認識する温度と比べて低い値であるが、電子機器１００を駆動させるには好ましくない値である。
【００３３】
ステップＳ９では、メインコントローラ２０は、再起動処理を行う。そのため、電子機器１００の各ハードディスクへの電源回路１９からの電源供給が一時的に遮断され、電子機器１００の再起動が行われる。
【００３４】
ステップＳ２に戻り、メインコントローラ２０は、ＨＤＤ１１への電源供給を停止した状態で、ファン１７を起動させる。
【００３５】
ステップＳ３では、メインコントローラ２０は、カウント値に応じて冷却処理を選択する。ここで、第１の冷却処理（ステップＳ４）後も、ＨＤＤ１１の温度異常が継続していれば、カウント値は１以上に変化している。そして、カウント値が１以上であれば、メインコントローラ２０は第２の冷却処理を行う（ステップＳ５）。
【００３６】
図５は、ステップＳ５において実行される第２の冷却制御処理を説明するフローチャートである。この第２の冷却処理では、メインコントローラ２０が保持するカウント値に応じて、ＨＤＤ１１を冷却するための処理を変化させる。
【００３７】
ステップＳ５１では、メインコントローラ２０は、カウント値に応じた冷却処理を選択する。ここで、カウント値が１以上である場合、メインコントローラ２０は、図４のステップＳ９において再起動処理を少なくとも１回繰り返している。言い換えると、第１の冷却処理を行った後も、ＨＤＤ１１の温度異常が維持していること意味している。そのため、ステップＳ５１の処理では、メインコントローラ２０は、カウント値の増加に伴い、ＨＤＤ１１の冷却効果が高くなる冷却処理を行う。
【００３８】
カウント値が１であれば、ステップＳ５２では、メインコントローラ２０は、ファン駆動電圧を第２の駆動電圧（例えば、１２Ｖ）に変化させる。そのため、ファン１７は第２の駆動電圧により駆動するため、第１の駆動電圧で駆動する場合に比べて、ＨＤＤ１１の冷却効果を高めることができる。
【００３９】
カウント値が２であれば、ステップＳ５３では、メインコントローラ２０は、光ディスクドライブ１２のスピンドルモーターを回転させる。スピンドルモーターを回転させることで、電子機器１００の筐体９０内の風の流れが活発化し、ＨＤＤ１１の冷却効果を高めることができる。例えば、ステップＳ５３の処理は、光ディスクドライブ１２に光ディスクがセットされた状態で行われることが望ましい。
【００４０】
カウント値が３であれば、ステップＳ５４では、メインコントローラ２０は、光ディスクドライブ１２のトレイ８０を引き出す。光ディスクドライブ１２のトレイ８０を引き出すことで、光ディスクドライブ１２のトレイ８０を挿入する開口から電子機器１００の内部にこもる熱が発散されるため、ＨＤＤ１１の冷却効果を高めることができる。
【００４１】
ステップＳ５２〜Ｓ５４の処理を終了すると、ステップＳ５６では、メインコントローラ２０は、ＨＤＤ１１の電源をオンする。
【００４２】
一方、カウント値が４以上であれば、ステップＳ５５では、メインコントローラ２０は、ＨＤＤ１１を強制的にオフする。この場合、ＨＤＤレスモードで電子機器を起動させる。ＨＤＤレスモードとは、ＨＤＤ１１の電源のオフを維持した状態で電子機器１００を起動させる。そして、ステップＳ５５の処理が終了すると、ＨＤＤ１１の電源をオンすることなく、処理を終了する。なお、ＨＤＤ１１の電源のオフが維持されているため、スマート機能を使用することはできなくなる。あくまでユーザに使用環境の見直しを伝える注意メッセージを伝える為に暫定的に電子機器を起動させる為である。
【００４３】
図４に戻り、ステップＳ６では、メインコントローラ２０はスマート値を取得する。ＨＤＤ１１の温度が閾値未満であれば（ステップＳ７：ＮＯ）、メインコントローラ２０は、ステップＳ１０に進み、待機する。メインコントローラ２０は、一定時間経過後、ステップＳ１１では、スマート値を取得する。例えば、メインコントローラ２０は、ＨＤＤ１１に対してスマート値を３回要求する。ステップＳ１１で取得したスマート値が温度異常を示すと（ステップＳ１２：ＹＥＳ）、メインコントローラ２０は、保護処理に進む。
【００４４】
一方、ステップＳ１１で取得したスマート値が温度異常を示さなければ（ステップＳ１２：ＮＯ）、ステップＳ１３では、メインコントローラ２０（通知手段２５）は、通知処理を行う。この通知処理では、ユーザに対して第２の冷却処理を行ったことを知らせるお知らせメールが送信される。
【００４５】
図６は、ユーザがお知らせメールを開封する処理を説明する図である。また、図７は、一例としての通知画面を示す図である。
図６（ａ）は、お知らせメールの受信ボックスを選択する画面を示している。例えば、ユーザが、図６（ａ）の『メール』のアイコンを、リモコン装置４０を用いて操作することで、お知らせメールを受信している受信ボックスが表示される。また、図６（ｂ）は、受信ボックスを示す図である。ユーザは、図６（ｂ）に示された受信ボックスにおいて、『メール３（注意）』のアイコンを選択することで、お知らせメールが開封される。
【００４６】
図７は、一例としてのお知らせメールにより通知される通知画面を示す図である。図７で示す通知画面２００には、第２の冷却処理を実行したことを通知する文字列『ＨＤＤの冷却のための暫定手段を動作させています。』と、電子機器１００の配置状態を確認する文字列『本体の放熱をよくするため、壁や台との間は、１０ｃｍ以上空けてください。』が表示される。
【００４７】
ユーザが通知画面２００を表示させた状態で、電子機器１００の設置場所を変更したことを示す『はい』のアイコン（図７）を選択すると（ステップＳ１４：ＹＥＳ）、メインコントローラ２０は、ステップＳ１５に進む。
【００４８】
ステップＳ１５では、メインコントローラ２０は、第２の冷却処理を実行するために設定した値を元に戻し、処理を終了する。なお、説明を省略するが、ステップＳ１５の処理の後に、電子機器１００の再起動処理を行い、電子機器１００の立ち上げ後にＨＤＤ１１の温度異常を再度検出する処理を加えてもよい。
【００４９】
以上説明したように、この第１の実施形態では、電子機器１００の保護機能が動作した後の電源オン後に行われる第１の冷却処理においても補助記憶装置（ＨＤＤ１１）の温度が低下しない場合、暫定的に行われる第２の冷却処理により保護機能が再度働かない状態で電子機器１００を起動させる。加えて、起動後に、通知手段２５により通知を行うことで、ユーザに電子機器１００の設置環境を見直して頂くよう促すことができる。
【００５０】
第２の冷却制御手段２４は、状態判定手段２３が電子機器１００を再起動した回数をもとに、ＨＤＤ１１の温度状態を判定することで、ＨＤＤ１１の温度状態を、簡易な方法により判定することができる。
【００５１】
第２の冷却制御手段２４は、第２の冷却処理では、第１の冷却処理で用いられる第１の電圧と比べて電圧値が高い第２の電圧でファン１７を駆動させることで、第２の冷却処理におけるＨＤＤ１１の冷却効果を高めることができる。
【００５２】
第２の冷却制御手段２４は、第２の冷却処理では、光ディスクドライブ１２のスピンドルモーターを回転させることで、電子機器１００の内部の風の流れを活発化させて第２の冷却処理におけるＨＤＤ１１の冷却効果を高めることができる。
【００５３】
第２の冷却制御手段２４は、第２の冷却処理では、光ディスクドライブ１２のトレイ８０をオープンにすることで、トレイ８０を収容する開口から電子機器１００の内部にこもる熱を放出し、第２の冷却処理におけるＨＤＤ１１の冷却効果を高めることができる。
【００５４】
第２の冷却制御手段２４は、第２の冷却処理では、ＨＤＤ１１の電源のオフを維持することで、ＨＤＤ１１の駆動を停止させた状態で装置を駆動させることができる。
【００５５】
通知手段は、電子機器１００が適切な場所に設置されていない場合に、ユーザに通知処理を通じて通知することができるため、ユーザが電子機器１００の設置場所を変更することで、ＨＤＤ１１の温度異常が継続されてしまう原因を取り除くことができる。
【００５６】
２．第２の実施形態：
上記した第１および第２の実施形態において、第２の冷却制御手段２４は、ＨＤＤ１の温度を直接判定して、第２の冷却処理で実施する処理を選択するものであってもよい。例えば、メインコントローラ２０（第２の冷却制御手段２４）は、ＨＤＤ１１からスマート値（温度）を取得すると、スマート値で取得される温度の昇順に、
・ファン１７を第２の駆動電圧で駆動させる、
・光ディスクドライブ１２のスピンドルモーターを回転させる、
・光ディスクドライブ１２のトレイ８０をオープンにする、
・ＨＤＤ１１の電源をオフした状態で電子機器１００を動作させる、
の各処理を選択する。
【００５７】
ＨＤＤ１の温度をもとに第２の冷却処理を選択することで、ＨＤＤ１１の状態に応じてより適切な冷却処理を実行することが可能となる。
【００５８】
３．その他の実施形態：
第２の冷却制御手段２４が実施する第２の冷却処理は、第１および第２の実施形態にしめされたものに限定されない。また、第１のおよび第２の実施形態に示す第２の冷却処理においても、その組み合わせや順番を適宜変更して使用するものであってもよい。
【００５９】
監視手段として、補助記憶装置が備えるスマート機能を用いたことは一例に過ぎない。情報を取得するためのセンサー、マイクロコンピュータによる機能の一部により実現されるものであってもよい。
【００６０】
補助記憶装置として、ＨＤＤを用いたことは一例に過ぎず、ＳＳＤ、フラッシュメモリ、光ディスクドライブであってもよい。また、補助記憶装置が監視手段を備えていない場合でも、センサー、マイクロコンピュータによる機能の一部により監視手段を実現することで、上記実施形態と同様の作用を実現することができる。
【００６１】
電子機器１００としてＨＤＤを備える録画装置を例に説明を行ったことは一例に過ぎない。電子機器１００は、液晶ディスプレイを備える表示装置、ＰＣ、タブレット端末であってもよい。  
【００６２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００６３】
１０…ＳＯＣ、１１…ＨＤＤ、１２…光ディスクドライブ、１３…フラッシュメモリ、１４…ＤＲＡＭ、１５…出力部、１６…再生信号制御部、１７…ファン、１８…Ｉ／Ｏ、１９…電源回路、２０…メインコントローラ、２１…保護手段、２２…第１の冷却制御手段、２３…状態判定手段、２４…第２の冷却制御手段、２５…通知手段、３０…サブコントローラ、４０…リモコン装置、５０…表示装置、１００…電子機器、２００…通知画面
【図１】
2016024592.tif 000003
【図２】
2016024592.tif 000004
【図３】
2016024592.tif 000005
【図４】
2016024592.tif 000006
【図５】
2016024592.tif 000007
【図６】
2016024592.tif 000008
【図７】
2016024592.tif 000009